【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
格納領域に格納されている複数のステータスの優先度と、前記格納領域に格納する新規のステータスの優先度とを比較し、格納された前記複数のステータスの優先度よりも前記新規のステータスの優先度が高い場合に格納された前記複数のステータスよりも前記格納領域内での順番が先になるように前記新規のステータスを前記格納領域に格納して、格納された前記複数のステータスの優先度よりも前記新規のステータスの優先度が低い場合に格納された前記複数のステータスよりも前記格納領域内での順番が後になるように前記新規のステータスを前記格納領域に格納する格納手段を有し、
前記格納領域に格納されているステータスが前記格納領域内の順番に従って表示され、格納された前記複数のステータスの優先度よりも前記新規のステータスの優先度が高い場合に前記新規のステータスが表示されることを特徴とする情報処理装置。
【請求項２】
前記格納手段は、前記格納領域に格納されている前記複数のステータスを優先度の高い順で前記格納領域に格納することを特徴とする請求項１に記載の情報処理装置。
【請求項３】
前記格納手段は、前記格納領域に格納されている前記複数のステータスを取得し、取得した前記複数のステータスと、前記新規のステータスとを前記格納領域に格納することを特徴とする請求項１又は２に記載の情報処理装置。
【請求項４】
前記格納手段は、前記格納領域に格納されている前記複数のステータスを取得し、取得した前記複数のステータスの格納順が優先度の高い順になっていない場合、優先度の高い順で前記格納領域に前記複数のステータスを格納することを特徴とする請求項１乃至３の何れか１項に記載の情報処理装置。
【請求項５】
前記格納手段は、ステータスが示す印刷処理の状態に応じて、ステータスの優先度を判断することを特徴とする請求項１乃至４の何れか１項に記載の情報処理装置。
【請求項６】
前記格納手段は、ステータスが示す印刷処理の状態がエラーである場合は、エラーに応じて設定されているエラーからの復帰に係る操作手順情報に応じて、ステータスの優先度を判断することを特徴とする請求項１乃至５の何れか１項に記載の情報処理装置。
【請求項７】
前記格納手段は、前記格納領域に格納されている前記複数のステータスを取得し、取得した前記複数のステータスが、印刷処理が終了した後も必要なステータスか否かを判断し、ステータスが、印刷処理が終了した後も必要なステータスでないと判断した場合、前記ステータスを前記格納領域から削除することを特徴とする請求項１乃至６の何れか１項に記載の情報処理装置。
【請求項８】
前記格納手段は、ステータスが示す印刷処理の状態に応じて、ステータスが、印刷処理が終了した後も必要なステータスか否かを判断することを特徴とする請求項７に記載の情報処理装置。
【請求項９】
前記格納手段は、ステータスが示す印刷処理の状態と、印刷キューの状態と、に応じて、ステータスが、印刷処理が終了した後も必要なステータスか否かを判断することを特徴とする請求項７又は８に記載の情報処理装置。
【請求項１０】
格納領域に格納されている複数のステータスの優先度と、前記格納領域に格納する新規のステータスの優先度とを比較し、格納された前記複数のステータスの優先度よりも前記新規のステータスの優先度が低い場合に格納された前記複数のステータスよりも前記格納領域内での順番が先になるように前記新規のステータスを前記格納領域に格納して、格納された前記複数のステータスの優先度よりも前記新規のステータスの優先度が高い場合に格納された前記複数のステータスよりも前記格納領域内での順番が後になるように前記新規のステータスを前記格納領域に格納する格納手段を有し、
前記格納領域に格納されているステータスが前記格納領域内の順番に従って表示され、格納された前記複数のステータスの優先度よりも前記新規のステータスの優先度が高い場合に前記新規のステータスが表示されることを特徴とする情報処理装置。
【請求項１１】
前記格納手段は、前記格納領域に格納されている前記複数のステータスを優先度の低い順で前記格納領域に格納することを特徴とする請求項１０に記載の情報処理装置。
【請求項１２】
前記格納手段は、前記格納領域に格納されている前記複数のステータスを取得し、取得した前記複数のステータスの格納順が優先度の低い順になっていない場合、優先度の低い順で前記格納領域に前記複数のステータスを格納することを特徴とする請求項１０又は１１に記載の情報処理装置。
【請求項１３】
コンピュータを、
格納領域に格納されている複数のステータスの優先度と、前記格納領域に格納する新規のステータスの優先度とを比較し、格納された前記複数のステータスの優先度よりも前記新規のステータスの優先度が高い場合に格納された前記複数のステータスよりも前記格納領域内での順番が先になるように前記新規のステータスを前記格納領域に格納して、格納された前記複数のステータスの優先度よりも前記新規のステータスの優先度が低い場合に格納された前記複数のステータスよりも前記格納領域内での順番が後になるように前記新規のステータスを前記格納領域に格納する格納手段として機能させ、
前記格納領域に格納されているステータスが前記格納領域内の順番に従って表示され、格納された前記複数のステータスの優先度よりも前記新規のステータスの優先度が高い場合に前記新規のステータスが表示されることを特徴とするプログラム。
【請求項１４】
前記格納手段は、前記格納領域に格納されている前記複数のステータスを優先度の高い順で前記格納領域に格納することを特徴とする請求項１３に記載のプログラム。
【請求項１５】
前記格納手段は、前記格納領域に格納されている前記複数のステータスを取得し、取得した前記複数のステータスと、前記新規のステータスとを前記格納領域に格納することを特徴とする請求項１３又は１４に記載のプログラム。
【請求項１６】
前記格納手段は、前記格納領域に格納されている前記複数のステータスを取得し、取得した前記複数のステータスの格納順が優先度の高い順になっていない場合、優先度の高い順で前記格納領域に前記複数のステータスを格納することを特徴とする請求項１３乃至１５の何れか１項に記載のプログラム。
【請求項１７】
前記格納手段は、ステータスが示す印刷処理の状態に応じて、ステータスの優先度を判断することを特徴とする請求項１３乃至１６の何れか１項に記載のプログラム。
【請求項１８】
前記格納手段は、ステータスが示す印刷処理の状態がエラーである場合は、エラーに応じて設定されているエラーからの復帰に係る操作手順情報に応じて、ステータスの優先度を判断することを特徴とする請求項１３乃至１７の何れか１項に記載のプログラム。
【請求項１９】
前記格納手段は、前記格納領域に格納されている前記複数のステータスを取得し、取得した前記複数のステータスが、印刷処理が終了した後も必要なステータスか否かを判断し、ステータスが、印刷処理が終了した後も必要なステータスでないと判断した場合、前記ステータスを前記格納領域から削除することを特徴とする請求項１３乃至１８の何れか１項に記載のプログラム。
【請求項２０】
前記格納手段は、ステータスが示す印刷処理の状態に応じて、ステータスが、印刷処理が終了した後も必要なステータスか否かを判断することを特徴とする請求項１９に記載のプログラム。
【請求項２１】
前記格納手段は、ステータスが示す印刷処理の状態と、印刷キューの状態と、に応じて、ステータスが、印刷処理が終了した後も必要なステータスか否かを判断することを特徴とする請求項１９又は２０に記載のプログラム。
【請求項２２】
コンピュータを、
格納領域に格納されている複数のステータスの優先度と前記格納領域に格納する新規のステータスの優先度を比較し、格納された前記複数のステータスの優先度よりも前記新規のステータスの優先度が低い場合に格納された前記複数のステータスよりも前記格納領域内での順番が先になるように前記新規のステータスを前記格納領域に格納して、格納された前記複数のステータスの優先度よりも前記新規のステータスの優先度が高い場合に格納された前記複数のステータスよりも前記格納領域内での順番が後になるように前記新規のステータスを前記格納領域に格納する格納手段として機能させ、
前記格納領域に格納されているステータスが前記格納領域内の順番に従って表示され、格納された前記複数のステータスの優先度よりも前記新規のステータスの優先度が高い場合に前記新規のステータスが表示されることを特徴とするプログラム。
【請求項２３】
前記格納手段は、前記格納領域に格納されている前記複数のステータスを優先度の低い順で前記格納領域に格納することを特徴とする請求項２２に記載のプログラム。
【請求項２４】
前記格納手段は、前記格納領域に格納されている前記複数のステータスを取得し、取得した前記複数のステータスの格納順が優先度の低い順になっていない場合、優先度の低い順で前記格納領域に前記複数のステータスを格納することを特徴とする請求項２２又は２３に記載のプログラム。
【請求項２５】
情報処理装置が実行する情報処理方法であって、
格納領域に格納されている複数のステータスの優先度と、前記格納領域に格納する新規のステータスの優先度とを比較し、格納された前記複数のステータスの優先度よりも前記新規のステータスの優先度が高い場合に格納された前記複数のステータスよりも前記格納領域内での順番が先になるように前記新規のステータスを前記格納領域に格納して、格納された前記複数のステータスの優先度よりも前記新規のステータスの優先度が低い場合に格納された前記複数のステータスよりも前記格納領域内での順番が後になるように前記新規のステータスを前記格納領域に格納する格納工程を含み、
前記格納領域に格納されているステータスが前記格納領域内の順番に従って表示され、格納された前記複数のステータスの優先度よりも前記新規のステータスの優先度が高い場合に前記新規のステータスが表示されることを特徴とする情報処理方法。
【請求項２６】
情報処理装置が実行する情報処理方法であって、
格納領域に格納されている複数のステータスの優先度と前記格納領域に格納する新規のステータスの優先度を比較し、格納された前記複数のステータスの優先度よりも前記新規のステータスの優先度が低い場合に格納された前記複数のステータスよりも前記格納領域内での順番が先になるように前記新規のステータスを前記格納領域に格納して、格納された前記複数のステータスの優先度よりも前記新規のステータスの優先度が高い場合に格納された前記複数のステータスよりも前記格納領域内での順番が後になるように前記新規のステータスを前記格納領域に格納する格納工程を含み、
前記格納領域に格納されているステータスが前記格納領域内の順番に従って表示され、格納された前記複数のステータスの優先度よりも前記新規のステータスの優先度が高い場合に前記新規のステータスが表示されることを特徴とする情報処理方法。
【手続補正２】
【補正対象書類名】明細書
【補正対象項目名】０００６
【補正方法】変更
【補正の内容】
【０００６】
そこで、本発明の情報処理装置は、格納領域に格納されている複数のステータスの優先度と、前記格納領域に格納する新規のステータスの優先度とを比較し、格納された前記複数のステータスの優先度よりも前記新規のステータスの優先度が高い場合に格納された前記複数のステータスよりも前記格納領域内での順番が先になるように前記新規のステータスを前記格納領域に格納して、格納された前記複数のステータスの優先度よりも前記新規のステータスの優先度が低い場合に格納された前記複数のステータスよりも前記格納領域内での順番が後になるように前記新規のステータスを前記格納領域に格納する格納手段を有し、前記格納領域に格納されているステータスが前記格納領域内の順番に従って表示され、格納された前記複数のステータスの優先度よりも前記新規のステータスの優先度が高い場合に前記新規のステータスが表示されることを特徴とする。
【手続補正３】
【補正対象書類名】明細書
【補正対象項目名】０００７
【補正方法】変更
【補正の内容】
【０００７】
そこで、本発明の情報処理装置は、格納領域に格納されている複数のステータスの優先度と、前記格納領域に格納する新規のステータスの優先度とを比較し、格納された前記複数のステータスの優先度よりも前記新規のステータスの優先度が低い場合に格納された前記複数のステータスよりも前記格納領域内での順番が先になるように前記新規のステータスを前記格納領域に格納して、格納された前記複数のステータスの優先度よりも前記新規のステータスの優先度が高い場合に格納された前記複数のステータスよりも前記格納領域内での順番が後になるように前記新規のステータスを前記格納領域に格納する格納手段を有し、前記格納領域に格納されているステータスが前記格納領域内の順番に従って表示され、格納された前記複数のステータスの優先度よりも前記新規のステータスの優先度が高い場合に前記新規のステータスが表示されることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】